(57)【要約】【課題】変電所等の幹線の盛り替え、切り替え工事前後の分岐回路上での電圧の確認や相確認を極めて容易に行うことが出来る試験方法を提供する。【解決手段】新設動力用幹線１１及び新設電灯用幹線１２を既設の動力用幹線１及び既設の電灯用幹線３に夫々接続後に、新設変電所Ｂ側から低電圧を前記接続した各幹線１１及び１２に印加し、各分岐回路５又は８内の、確認作業の容易な動力盤６及び分電盤９の一箇所を選んで、当該箇所の動力盤６及び分電盤９箇所で電圧確認及び相確認を行う。【選択図】      図１
2014147152.tif 000002
【特許請求の範囲】
【請求項１】
新設の幹線接続後に、変電所側から低電圧を前記接続した幹線に印加し、分岐回路内の、確認作業の容易な分電盤及び動力盤の一箇所を選んで、当該箇所の分電盤及び動力盤箇所で電圧確認及び相確認を行うことを特徴とする、試験方法。
【請求項２】
前記低電圧の幹線への印加はバッテリーから行うことを特徴とする、請求項１に記載の試験方法。
【請求項３】
前記低電圧の幹線の印加は商用電源から行うことを特徴とする、請求項１に記載の試験方法。
【請求項４】
出力端子から、三相３線６．７Ｖ、或いは、単相２線３．３ないし６．７Ｖの電圧が選択的に出力可能であることを特徴とする、請求項１〜３のいずれかに記載の試験方法に使用する電源装置。
【発明の詳細な説明】
【技術分野】
【０００１】
この発明は、変電所の更新等に伴う、幹線の盛り替え工事後の電圧・相確認試験方法及びこれらの方法に用いる装置に関するものである。
【背景技術】
【０００２】
変電所の更新、移設等に伴う幹線の盛り替えや切り替え工事では、同一系統回路内の出先の分電盤や動力盤の主幹配線保護用遮断器（ＭＣＣＢ）での事前の電圧、相確認のため、送電前に主幹ＭＣＣＢの開放、工事終了後の電圧確認、相の確認（事前の相との一致）をすることが、絶対条件である。
【０００３】
このことは、配電線の改修工事等においても、特許文献１や２に示すように、検電・検相確認を行っている。
【０００４】
【特許文献１】特開２００７−１６５２６１号公報
【特許文献２】実開平６−２１３１０号公報
【発明の開示】
【発明が解決しようとする課題】
【０００５】
しかしながら、この様な盛り替えや切り替え工事施工のため、幹線ルート調査を行っていく中で、同一系統回路内に分岐回路が多く、各分岐回路の分電盤箇所が分からない場合や分電盤設置場所への入室が出来ない場合がある、といったことが多い。
【０００６】
この様に、同一系統分岐回路内の分電盤や動力盤箇所が不明であったり、設置場所に入れない箇所があると、全部の分電盤や動力盤の電圧確認や検相確認に時間がかかり、場合によっては工事が出来なくなるおそれがある。
【０００７】
この発明は、この従来技術を踏まえて、変電所等の幹線の盛り替え、切り替え工事前後の分岐回路上での電圧の確認や相確認を極めて容易に行うことが出来る試験方法及びこれらの方法に用いる電源装置を提供するものである。
【課題を解決するための手段】
【０００８】
請求項１の発明は、新設の幹線接続後に、変電所側から低電圧を前記接続した幹線に印加し、分岐回路内の、確認作業の容易な分電盤及び動力盤の一箇所を選んで、当該箇所の分電盤及び動力盤箇所で電圧確認及び相確認を行う、試験方法とした。
【０００９】
また、請求項２の発明は、前記請求項１の発明において、前記低電圧の幹線への印加はバッテリーから行う、試験方法とした。
【００１０】
また、請求項３の発明は、前記請求項１の発明において、前記低電圧の幹線の印加は、商用電源から行う、試験方法とした。
【００１１】
また、請求項４の発明は、出力端子から、三相３線６．７Ｖ、或いは、単相２線３．３ないし６．７Ｖの電圧が選択的に出力可能である構成とした、請求項１〜３のいずれかに記載の試験方法に使用する電源装置。
【発明の効果】
【００１２】
請求項１〜３の各発明によれば、幹線の分岐回路の全部の分電盤や動力盤での確認作業を必要としない。確認作業の容易な一箇所の分電盤や動力盤を選んで、当該箇所でのみ確認作業を行えばよく、事前調査や電圧等の確認時間が短縮できる。しかも、当該発明の方法による試験を行えば、不明な分電盤や動力盤、また、確認不可能な分電盤や動力盤があっても、これらを含むすべての分電盤や動力盤の二次側機器の焼損や逆回転等による設備事故を防止することができる。また、請求項４の発明によれば、請求項１〜３のいずれかの発明の試験方法において、一定の低電圧を選択的に容易に供給できる。
【図面の簡単な説明】
【００１３】
【図１】この発明の実施の形態例１の現行の変電所の幹線に接続された分岐回路と新設変電所の各幹線の接続切り替えを示す、概略構成図である。
【図２】この発明の実施の形態例１に使用するバッテリーの概略構成図である。
【発明を実施するための形態】
【００１４】
（実施の形態例１）
以下、この発明の実施の形態例１を図１に基づいて説明する。
【００１５】
従来の変電所Ａから動力用幹線１が動力ＭＣＣＢ２を通して、また、電灯用幹線３が電灯ＭＣＣＢ４を通して導出され、動力用幹線１には、複数の分岐回路５が設けられ、動力盤６を介して負荷である動力機器７に接続されている。また、前記電灯用幹線３には、複数の分岐回路８が設けられ、分電盤９を介して負荷である照明機器１０に接続されている。前記動力用幹線１は三相３線２００Ｖ、電灯用幹線３は単相３線２００Ｖが流れている。
【００１６】
そして、新設変電所Ｂが設けられると、これに伴い、新たに新設動力用幹線１１及び新設電灯用幹線１２が夫々新設動力ＭＣＣＢ１３及び新設電灯ＭＣＣＢを通して設けられる。そして、これらの新設動力用幹線１１及び新設電灯用幹線１２をそれぞれ、既設の動力用幹線１及び電灯線用幹線３に接続する。
【００１７】
そして、これらの接続工事終了後に、各幹線１及び３の分岐回路での電圧確認及び相確認作業を行う。
【００１８】
この発明では、まず、これらの新設の幹線１１及び１２に夫々低電圧を印加する。電圧は、例えば、動力用幹線１１には三相３線６．７Ｖ、電灯用幹線１２には単相２線３．３Ｖ又は６．７Ｖを印加する。
【００１９】
そして、新設動力用幹線１１に関しては、複数の分岐回路５の動力盤６の中で、容易に近づけることができる、すなわち、動力盤６に近づいて確認作業ができる動力盤６を選び、当該動力盤６の箇所で、電圧確認作業や相確認作業（従前の相と一致しているかどうかかの確認）を行う。
【００２０】
また、新設電灯用幹線１２に関しても、複数の分岐回路８の分電盤９の中で、最も容易に近づき、確認作業ができる分電盤９を選び、当該分電盤５の箇所で、電圧確認作業や相確認作業（従前の相と一致しているかどうかかの確認）を行う。
【００２１】
これにより、新設動力用幹線１１及び新設電灯用幹線１２が夫々既設の動力ケーブルへ正しく接続されていることが確認できる。
【００２２】
このように複数の分岐回路５又は８があるが、これらの中の一箇所の動力盤６又は分電盤９で電圧確認や相確認ができれば、他の箇所の動力盤６や分電盤９箇所で確認作業をする必要がない。なぜなら、各分岐回路５又は８箇所は、従来のままであり、新設動力用幹線１１及び新設電灯用幹線１２の接続がこれらの分岐回路５又は８より手前の箇所で行われるためである。
【００２３】
次に、前記新設動力用幹線１１及び新設電灯用幹線１２に低電圧を印加する電源装置Ｃの一例を、図２に基づいて説明する。
【００２４】
電源装置Ｃは、バッテリー１５を備え、インバーター１６及１７を通して、電源切替スイッチ１８に接続されている。そして当該電源切替スイッチ１８の出力端は、２つの計器用変圧器１９の入力端が接続され、当該計器用変圧器１９の出力端に出力端子２０が接続されている。
【００２５】
また、前記インバーター１６の入力端には、単相２線式１００Ｖの商用電源入力端子２１が接続され、また、前記電源切替スイッチ１８の入力端には、３相３線式２００Ｖの商用電源入力端子２２が接続されている。
【００２６】
この電源装置Ｃでは、バッテリー１５又は商用電源入力端子２１からの電源は、インバーター１６及び１７、電源切替スイッチ１８を通して、計器用変圧器１９で降圧され、出力端子２０から出力する。また、商用電源端子２２からの電源は、電源切替スイッチ１８を通して、計器用変圧器１９で降圧され、出力端子２０から出力する。
【００２７】
そして、この出力端子２０からは、三相３線式６．７Ｖの電圧が、また単相２線式３．３Ｖ又は６．７Ｖの電圧が選択的に出力可能である。
【００２８】
なお、この電源装置Ｃは、一例であり、電源装置そのものは、他のものでも良い。
【符号の説明】
【００２９】
Ａ      既設の変電所            Ｂ      新設変電所
Ｃ      電源装置
１      動力用幹線              ２      動力ＭＣＣＢ
３      電灯用幹線              ４      電灯ＭＣＣＢ
５      分岐回路                ６      動力盤
７      動力機器                ８      分岐回路
９      分電盤                  １０    照明機器
１１    新設動力用幹線          １２    新設電灯用幹線
１３    新設動力ＭＣＣＢ          １４    新設電灯ＭＣＣＢ
１５    バッテリー                １６    インバーター
１７    インバーター              １８    電源切替スイッチ
１９    計器用変圧器              ２０    出力端子
２１    商用電源入力端子          ２２    商用電源入力端子                                                
【図１】
2014147152.tif 000003
【図２】
2014147152.tif 000004